(57)【要約】【課題】  ユーザの権限に合わせた操作レベルの設定を低コストに実現できる、写真処理装置およびその制御方法を提供する。【解決手段】  写真処理装置１０は、スキャナ部１２を備える。スキャナ部１２のネガキャリア２４内には、磁気ヘッド２６が設けられる。磁気ヘッド２６は、ＡＰＳフィルムＦの磁気記録部Ｔａ，Ｔｂから磁気データを読み出し、また、磁気記録部Ｔａ，Ｔｂに磁気データを書き込む。操作レベル設定用に登録されたＡＰＳフィルムＦから磁気ヘッド２６によって読み出される磁気データは、コントローラ１４においてＨＤＤ１５に記録されるテーブルデータと関連付けられ、機能特定データとして操作レベルの設定に用いられる。【選択図】      図１
2006343568.tif 000002
【特許請求の範囲】
【請求項１】
写真フィルムの磁気記録部に書き込まれた磁気データを読み出すための読み出し手段を有する写真処理装置において、
前記写真フィルムの前記磁気記録部には当該写真処理装置の機能のうち使用可能にすべき機能を特定するための機能特定データが書き込まれており、
前記写真フィルムの前記磁気記録部から前記読み出し手段によって読み出された前記機能特定データに基づいて前記使用可能にすべき機能を使用可能に設定する制御手段を備えることを特徴とする、写真処理装置。
【請求項２】
前記機能特定データを作成するための指示を与える指示手段、および
前記写真フィルムの前記磁気記録部に前記指示手段からの指示に従って作成された前記機能特定データを書き込む第１書き込み手段をさらに備える、請求項１に記載の写真処理装置。
【請求項３】
当該写真処理装置を特定するための装置識別データを記録する記録手段、
前記記録手段に記録される前記装置識別データを前記写真フィルムの前記磁気記録部に書き込む第２書き込み手段、および
或る写真フィルムの前記磁気記録部から前記読み出し手段によって読み出された前記装置識別データと前記記録手段に記録される前記装置識別データとを照合する照合手段をさらに備え、
前記或る写真フィルムの前記磁気記録部から読み出された前記装置識別データと前記記録手段に記録される前記装置識別データとが一致する場合に前記或る写真フィルムの前記磁気記録部から前記機能特定データが読み出される、請求項１または２に記載の写真処理装置。
【請求項４】
写真フィルムの磁気記録部に書き込まれた磁気データを読み出し可能な写真処理装置の制御方法であって、
当該写真処理装置の機能のうち使用可能にすべき機能を特定するために前記写真フィルムの前記磁気記録部に書き込まれた機能特定データを前記写真フィルムの前記磁気記録部から読み出す工程、および
読み出した前記機能特定データに基づいて前記使用可能にすべき機能を使用可能に設定する工程を備える、写真処理装置の制御方法。
【請求項５】
前記機能特定データを作成するための指示を与える工程、および
前記写真フィルムの前記磁気記録部に前記指示に従って作成された前記機能特定データを書き込む工程をさらに備える、請求項４に記載の写真処理装置の制御方法。
【請求項６】
当該写真処理装置には当該写真処理装置を特定するための装置識別データが記録されており、
前記写真フィルムの前記磁気記録部に前記装置識別データを書き込む工程、および
或る写真フィルムの前記磁気記録部から読み出した前記装置識別データと当該写真処理装置に記録される前記装置識別データとを照合する工程をさらに備え、
前記或る写真フィルムの前記磁気記録部から読み出した前記装置識別データと当該写真処理装置に記録される前記装置識別データとが一致する場合に前記或る写真フィルムの前記磁気記録部から前記機能特定データを読み出す、請求項４または５に記載の写真処理装置の制御方法。
【発明の詳細な説明】
【技術分野】
【０００１】
この発明は写真処理装置およびその制御方法に関し、より特定的には、写真フィルムの磁気記録部から磁気データを読み出し可能な写真処理装置およびその制御方法に関する。
【背景技術】
【０００２】
ラボ（現像所）等に設置される写真処理装置は、たとえば、当該写真処理装置の所有者、ラボの従業員、当該写真処理装置のメンテナンスを行う外部のサービスマン、当該写真処理装置をレンタルする顧客等、種々のユーザ（オペレータ）によって操作される。このような状況では、各ユーザの権限に合わせて写真処理装置の機能を制限することが望まれる。従来、このような要望に応えるために、たとえば、所有者やサービスマンであれば全機能を使用可能な高レベル、従業員であれば一部の機能の使用が制限される中レベル、顧客であれば多くの機能の使用が制限される低レベルといったように、写真処理装置に予め設定される操作レベルを数値パスワードを用いた認証等によって切り替えていた。
【０００３】
しかし、通常、写真処理装置に予め設定される操作レベルは数段階であり、各ユーザの権限に細かく対応するためには写真処理装置の使用前に使用可能にすべき機能を設定し直す必要があり、その作業が煩わしいという問題があった。一般に、この種の問題には、使用可能にすべき機能を特定する機能特定データを装置に入力し、ユーザの権限に合わせた操作レベルに自動的に設定することによって対応している。このような技術の一例として、たとえば特許文献１には、ＩＤタグから機能特定データを読み出し、操作レベルを自動的に設定する印刷装置が開示されている。
【特許文献１】特開２００３−２５６１８０
【発明の開示】
【発明が解決しようとする課題】
【０００４】
しかし、特許文献１の技術では、ＩＤタグから機能特定データを読み出すためだけにＩＤリーダを設ける必要があるので、装置が複雑になりコストが嵩むという問題があった。また、機能特定データを書き込むためだけのＩＤタグを準備する必要があり、このことからも操作レベルの設定に要するコストが上昇してしまう。
それゆえに、この発明の主たる目的は、ユーザの権限に合わせた操作レベルの設定を低コストに実現できる、写真処理装置およびその制御方法を提供することである。
【課題を解決するための手段】
【０００５】
上述の目的を達成するために、請求項１に記載の写真処理装置は、写真フィルムの磁気記録部に書き込まれた磁気データを読み出すための読み出し手段を有する写真処理装置において、写真フィルムの磁気記録部には当該写真処理装置の機能のうち使用可能にすべき機能を特定するための機能特定データが書き込まれており、写真フィルムの磁気記録部から読み出し手段によって読み出された機能特定データに基づいて使用可能にすべき機能を使用可能に設定する制御手段を備えることを特徴とする。
【０００６】
請求項２に記載の写真処理装置は、請求項１に記載の写真処理装置において、機能特定データを作成するための指示を与える指示手段、および写真フィルムの磁気記録部に指示手段からの指示に従って作成された機能特定データを書き込む第１書き込み手段をさらに備えることを特徴とする。
【０００７】
請求項３に記載の写真処理装置は、請求項１または２に記載の写真処理装置において、当該写真処理装置を特定するための装置識別データを記録する記録手段、記録手段に記録される装置識別データを写真フィルムの磁気記録部に書き込む第２書き込み手段、および或る写真フィルムの磁気記録部から読み出し手段によって読み出された装置識別データと記録手段に記録される装置識別データとを照合する照合手段をさらに備え、或る写真フィルムの磁気記録部から読み出された装置識別データと記録手段に記録される装置識別データとが一致する場合に或る写真フィルムの磁気記録部から機能特定データが読み出されることを特徴とする。
【０００８】
請求項４に記載の写真処理装置の制御方法は、写真フィルムの磁気記録部に書き込まれた磁気データを読み出し可能な写真処理装置の制御方法であって、当該写真処理装置の機能のうち使用可能にすべき機能を特定するために写真フィルムの磁気記録部に書き込まれた機能特定データを写真フィルムの磁気記録部から読み出す工程、および読み出した機能特定データに基づいて使用可能にすべき機能を使用可能に設定する工程を備える。
【０００９】
請求項５に記載の写真処理装置の制御方法は、請求項４に記載の写真処理装置の制御方法において、機能特定データを作成するための指示を与える工程、および写真フィルムの磁気記録部に指示に従って作成された機能特定データを書き込む工程をさらに備えることを特徴とする。
【００１０】
請求項６に記載の写真処理装置の制御方法は、請求項４または５に記載の写真処理装置の制御方法において、当該写真処理装置には当該写真処理装置を特定するための装置識別データが記録されており、写真フィルムの磁気記録部に装置識別データを書き込む工程、および或る写真フィルムの磁気記録部から読み出した装置識別データと当該写真処理装置に記録される装置識別データとを照合する工程をさらに備え、或る写真フィルムの磁気記録部から読み出した装置識別データと当該写真処理装置に記録される装置識別データとが一致する場合に或る写真フィルムの磁気記録部から機能特定データを読み出すことを特徴とする。
【００１１】
請求項１に記載の写真処理装置では、写真フィルムの磁気記録部に書き込まれた機能特定データを読み出し、読み出した機能特定データに基づいて当該写真処理装置の機能のうち使用可能にすべき機能を自動的に使用可能に設定する。このように、写真フィルムの磁気記録部に書き込まれた機能特定データを読み出すことによって、機能特定データを読み出すためだけに読み出し手段を新たに設ける必要がない。また、機能特定データを書き込むための記録媒体を新たに準備する必要もない。したがって、ユーザの権限に合わせた操作レベルの設定を低コストに実現できる。請求項４に記載の写真処理装置の制御方法についても同様である。
【００１２】
請求項２に記載の写真処理装置では、当該写真処理装置で機能特定データを作成し、作成した機能特定データを写真フィルムの磁気記録部に書き込むことができる。したがって、機能特定データの作成および書き込みを別の装置で行う必要がなく、磁気記録部に機能特定データが書き込まれた写真フィルムを簡単にかつ低コストに準備できる。請求項５に記載の写真処理装置の制御方法についても同様である。
【００１３】
一般に、或る装置においては高レベルユーザでありかつ他の装置においては低レベルユーザであるユーザが、或る装置用の機能特定データを他の装置に用いて他の装置でも高レベルユーザになるということを防止するのは難しい。つまり、或る装置用の機能特定データが他の装置に用いられることを防止するのは難しい。請求項３に記載の写真処理装置では、写真フィルムの磁気記録部に当該写真処理装置の装置識別データを書き込む。そして、或る写真フィルムの磁気記録部に書き込まれた装置識別データと当該写真処理装置の装置識別データとを照合し、装置識別データが一致する場合に或る写真フィルムの磁気記録部から機能特定データを読み出すことができる。つまり、当該写真処理装置に関連付けられた写真フィルムでなければ磁気記録部から機能特定データを読み出すことができない。したがって、当該写真処理装置用の機能特定データが他の写真処理装置に用いられることを防止できる。請求項６に記載の写真処理装置の制御方法についても同様である。
【発明の効果】
【００１４】
この発明によれば、ユーザの権限に合わせた操作レベルの設定を低コストに実現できる、写真処理装置およびその制御方法が得られる。
【発明を実施するための最良の形態】
【００１５】
以下、図面を参照して、この発明の実施の形態について説明する。
図１を参照して、この発明の一実施形態の写真処理装置１０は、ＡＰＳフィルムＦから読み取った画像を印画紙Ｐに形成することによってプリントを作製するためにラボ（現像所）等に設置される。写真処理装置１０は、スキャナ部１２、コントローラ１４およびプリント部１６を備える。
【００１６】
スキャナ部１２は、磁気データが書き込まれるＡＰＳ（Advanced Photo System）フィルムＦを所定の方向（矢印Ａ方向）に搬送しつつ、ＡＰＳフィルムＦに形成されたコマ画像を画像データとして読み取りかつＡＰＳフィルムＦに書き込まれた磁気データを読み出し可能に構成される。
【００１７】
ここで、図２を参照して、ＡＰＳフィルムＦについて説明する。
ＡＰＳフィルム（２４０フィルム）Ｆは、カメラ撮影によってコマ画像が形成される複数（ここでは４０個とする）の画像形成領域Ｇと、短手方向の両端辺近傍にそれぞれ形成される磁気記録部（トラック）Ｔａ，Ｔｂとを有する。図２においては、４０個の画像形成領域Ｇを矢印Ａ方向の下流側から上流側にかけてＧ１〜Ｇ４０とし、画像形成領域Ｇ１〜Ｇ４０に対応して形成される磁気記録部ＴａをＴ１ａ〜Ｔ４０ａとし、画像形成領域Ｇ１〜Ｇ４０に対応して形成される磁気記録部ＴｂをＴ１ｂ〜Ｔ４０ｂとする。
【００１８】
磁気記録部Ｔａ，Ｔｂはそれぞれ、画像形成領域Ｇよりも多く形成され（ここでは４１個ずつ）、複数の記録領域（クラスタ）Ｃによって構成される。磁気記録部Ｔ１ａの複数の記録領域Ｃにはそれぞれ、写真処理装置１０において画像形成領域Ｇ１の画像のプリントを作製する際に当該画像に施される処理の設定値等が磁気データとして書き込まれる。具体的に、磁気記録部Ｔ１ａの複数の記録領域Ｃにはそれぞれ、画像形成領域Ｇ１の画像に施されるＹ（イエロー）、Ｍ（マゼンタ）、Ｃ（シアン）およびＤ（濃度）の色補正値等が磁気データとして書き込まれる。磁気記録部Ｔ２ａ〜Ｔ４０ａの各記録領域Ｃについても同様に、写真処理装置１０において画像形成領域Ｇ２〜Ｇ４０の画像に施される処理の設定値等が書き込まれる。また、磁気記録部Ｔ１ｂの複数の記録領域Ｃにはそれぞれ、カメラにおいて画像形成領域Ｇ１に施される処理の情報が磁気データとして書き込まれる。具体的に、磁気記録部Ｔ１ｂの複数の記録領域Ｃにはそれぞれ、画像形成領域Ｇ１に画像が露光（焼き付け）された年月日等の情報が磁気データとして書き込まれる。磁気記録部Ｔ２ｂ〜Ｔ４０ｂの各記録領域Ｃについても同様に、カメラにおいて画像形成領域Ｇ２〜Ｇ４０に施される処理の情報が磁気データとして書き込まれる。
【００１９】
また、磁気記録部Ｔ１ａよりも下流側（ここでは最も下流側）に形成される磁気記録部Ｔａの複数の記録領域Ｃにはそれぞれ、ＡＰＳフィルムＦの製造時等に磁気データが書き込まれる。たとえば最も下流側の磁気記録部Ｔａの記録領域Ｃには、ＡＰＳフィルムＦの製造番号（ＣＩＤ）データが予め書き込まれている。ＡＰＳフィルムＦのフィルム識別データである製造番号データはたとえば６桁の数字に対応する磁気データである。また、磁気記録部Ｔ１ｂよりも下流側（ここでは最も下流側）に形成される磁気記録部Ｔｂの複数の記録領域Ｃにはそれぞれ、ＡＰＳフィルムＦを用いて撮影を行ったカメラの型番号等が磁気データとして書き込まれる。
【００２０】
このようなＡＰＳフィルムＦは、ユーザ（オペレータ）の権限に合わせて写真処理装置１０の操作レベルを設定するためにも用いられる。ＡＰＳフィルムＦは、その製造番号データが写真処理装置１０に記録されることによって写真処理装置１０に操作レベル設定用のＡＰＳフィルムＦとして登録される。操作レベル設定用のＡＰＳフィルムＦの磁気記録部Ｔ１ａ〜Ｔ４０ａの各記録領域Ｃから読み出された磁気データはそれぞれ、写真処理装置１０の各機能に関連付けられ、関連付けられた機能のＯＮ／ＯＦＦを設定するために用いられる。
【００２１】
図１に戻って、スキャナ部１２は、ＡＰＳフィルムＦに向けて光を発する光源１８を含む。ＡＰＳフィルムＦは、図示しない駆動モータによって回転駆動される搬送用ローラ２０によって矢印Ａ方向に搬送され、ネガマスク２２によって画像形成領域Ｇが位置決めされる。搬送用ローラ２０およびネガマスク２２は搬送ユニットであるネガキャリア２４内に一体的に組み込まれる。
【００２２】
また、ネガキャリア２４内には、磁気ヘッド２６が設けられる。磁気ヘッド２６は、ＡＰＳフィルムＦの磁気記録部Ｔａ，Ｔｂから磁気データを読み出し、また、磁気記録部Ｔａ，Ｔｂに磁気データを書き込む。具体的に、磁気ヘッド２６は、操作レベル設定用のＡＰＳフィルムＦにおいて、最も下流側の磁気記録部Ｔａの記録領域Ｃ（図２参照）に予め書き込まれている製造番号データや磁気記録部Ｔ１ａ〜Ｔ４０ａの各記録領域Ｃに書き込まれた磁気データを読み出す。また、磁気ヘッド２６は、操作レベル設定用のＡＰＳフィルムＦにおいて、写真処理装置１０のシリアル番号データを最も下流側の磁気記録部Ｔａの記録領域Ｃに書き込み、磁気記録部Ｔ１ａ〜Ｔ４０ａの各記録領域Ｃに機能のＯＮ／ＯＦＦを設定するための磁気データを書き込む。この実施形態では、磁気ヘッド２６が読み出し手段、第１書き込み手段および第２書き込み手段に相当する。
【００２３】
光源１８とＡＰＳフィルムＦとの間には、光源１８から発せられた光をＡＰＳフィルムＦに導くためのミラートンネル２８が配置される。光源１８から発せられＡＰＳフィルムＦの画像形成領域Ｇを透過した光の光路上には、ＣＣＤセンサ等である画像センサ３０が配置される。また、ＡＰＳフィルムＦと画像センサ３０との間には、ＡＰＳフィルムＦの画像形成領域Ｇを透過した光を画像センサ３０に結像させるためのレンズ３２が配置される。
【００２４】
画像センサ３０に結像された光は、デジタルデータとして出力され、スキャナ部１２およびプリント部１６を統括的に制御するコントローラ１４に入力される。また、コントローラ１４には、磁気ヘッド２６によって磁気記録部Ｔａ，Ｔｂから読み出された磁気データも入力される。この実施形態では、コントローラ１４が制御手段に相当する。
【００２５】
コントローラ１４は、ＣＰＵバスで相互に接続されたＣＰＵ１４ａ、ＲＯＭ１４ｂ、およびＲＡＭ１４ｃを含む。また、コントローラ１４には、各種のデータやプログラムを記録するハードディスクドライブ（ＨＤＤ：ハードディスクを含む）１５が接続される。さらに、コントローラ１４には、オペレータが種々の指示や設定を行うためのキーボードやマウス等の入力部３４、および写真処理装置１０の操作を容易にするＧＵＩ（Graphical User Interface）等を表示する表示部３６が接続される。この実施形態では、入力部３４が指示手段に相当する。
【００２６】
ＣＰＵ１４ａは、ＲＯＭ１４ｂやＨＤＤ１５に記録されている各種のプログラムを実行し、データを処理し、写真処理装置１０の各構成要素に指示を与え、写真処理装置１０の動作を制御する。この実施形態では、ＣＰＵ１４ａが照合手段としても機能する。
【００２７】
ＲＯＭ１４ｂは、起動用プログラム等を記録している。起動用プログラムは、写真処理装置１０の電源投入時にＣＰＵ１４ａによって実行される。これによって、ＨＤＤ１５に記録されているオペレーティングシステム（ＯＳ）等のプログラムがＲＡＭ１４ｃにロードされ、各種の処理や制御が実行可能となる。
【００２８】
ＲＡＭ１４ｃには、写真処理装置１０を制御するプログラム等が展開され、プログラムによる処理結果、処理のための一時データ、表示部３６の画面上にデータを表示するための表示用データ（テキストデータ、画像データ等）等を保持し、ＣＰＵ１４ａの作業領域として使用される。
【００２９】
ＨＤＤ１５は、ＣＰＵ１４ａの指示に従って、プログラム、制御用データ、テキストデータ、画像データ等を、ハードディスクに対して書き込みまたは読み出す。ＨＤＤ１５内のハードディスクには、スキャナ部１２からコントローラ１４に入力されたデジタルデータがＡＰＳフィルムＦに形成されたコマ画像に対応する画像データとして記録され、磁気ヘッド２６によって操作レベル設定用のＡＰＳフィルムＦから読み出された製造番号データが記録される。また、ＨＤＤ１５内のハードディスクには、ＡＰＳフィルムＦに書き込まれた磁気データを写真処理装置１０の各機能に関連付けるためのテーブルデータが予め記録されており、写真処理装置１０の装置識別データであるシリアル番号データが予め記録されている。さらに、ＨＤＤ１５内のハードディスクには、図３〜図６に示す処理を実行するためのプログラムが記録されている。この実施形態では、ＨＤＤ１５が記録手段に相当する。
【００３０】
プリント部１６は、長尺の印画紙Ｐが収納されるペーパーマガジン３８を含む。ペーパーマガジン３８に収納される印画紙Ｐは、所定の経路に沿って引き出され、図示しないカッタによって適宜のサイズにカットされ、カット済み印画紙Ｐが搬送用ローラ４０によって所定の搬送経路上を搬送される。搬送用ローラ４０は駆動モータ４２によって回転駆動され、駆動モータ４２はコントローラ１４によって制御される。
【００３１】
また、カット済み印画紙Ｐの搬送経路上には、デジタル露光ヘッド４４が配置される。デジタル露光ヘッド４４は、コントローラ１４から入力される画像データに基づくコマ画像をカット済み印画紙Ｐに露光（焼き付け）する。デジタル露光ヘッド４４には、たとえば蛍光プリンタ、ＰＬＺＴ式プリンタまたはＣＲＴプリンタ等のプリンタヘッドが用いられる。
【００３２】
プリント部１６で画像が形成されたカット済み印画紙Ｐは、現像部４６で現像処理液を貯留する処理槽を通過することによって現像処理され、乾燥部４８で加熱・乾燥された後、乾燥部４８から仕上がりプリントとして排出される。
【００３３】
ついで、このように構成される写真処理装置１０の動作について説明する。
写真処理装置１０では、ユーザの権限に合わせた操作レベルの設定が、操作レベル設定用に登録されたＡＰＳフィルムＦを用いて行われる。ＡＰＳフィルムＦにおいて磁気記録部Ｔ１ａ〜Ｔ４０ａの各記録領域Ｃ（図２参照）から読み出された磁気データはそれぞれ、ＨＤＤ１５に記録されるテーブルデータを用いて写真処理装置１０の各機能に関連付けられ、写真処理装置１０の各機能のＯＮ／ＯＦＦに用いられる。つまり、磁気記録部Ｔ１ａ〜Ｔ４０ａの各記録領域Ｃに書き込まれた磁気データが、写真処理装置１０の機能のうち使用可能にすべき機能を特定するための機能特定データ（プリファレンスデータ）として機能する。具体的に磁気記録部Ｔ１ａ〜Ｔ４０ａの各記録領域Ｃに書き込まれた磁気データはそれぞれ、インデックスプリントを作製するためのインデックスプリント作製機能、シール等に画像が形成されるバラエティープリントを作製するためのバラエティープリント作製機能、画像入りの名刺を作製するための名刺作製機能、撮影に失敗した画像のプリントを作製するためのパスコマメディア出力機能等に関連付けられる。
【００３４】
写真処理装１０では、ＡＰＳフィルムＦが操作レベル設定用のＡＰＳフィルムＦとして予め登録されているか否かを確認した後に操作レベルの設定処理が行われる。まず、図３を参照して、ＡＰＳフィルムＦの確認処理について説明する。
【００３５】
まず、ユーザによってＡＰＳフィルムＦがスキャナ部１２のネガキャリア２４に装填されると、ＣＰＵ１４ａの指示に従ってＡＰＳフィルムＦの矢印Ａ方向への搬送が開始される（ステップＳ１）。つづいて、磁気ヘッド２６によってＡＰＳフィルムＦの最も下流側の磁気記録部Ｔａ（図２参照）から製造番号データが読み出され（ステップＳ３）、ＲＡＭ１４ｃに保持される。
【００３６】
つづいて、ＣＰＵ１４ａによってＨＤＤ１５に記録されている製造番号データが検索されＡＰＳフィルムＦから読み出した製造番号データと一致するものがあるか否かが判断される（ステップＳ５）。
【００３７】
ＡＰＳフィルムＦから読み出した製造番号データと一致する製造番号データがＨＤＤ１５に記録されていない場合（ステップＳ５がＮＯ）、表示部３６にエラーメッセージが表示される等の所定のエラー処理が実行され（ステップＳ７）、ステップＳ１に戻る。
【００３８】
一方、ＡＰＳフィルムＦから読み出した製造番号データと一致する製造番号データがＨＤＤ１５に記録されている場合（ステップＳ５がＹＥＳ）、ＡＰＳフィルムＦの最も下流側の磁気記録部Ｔａから写真処理装置１０のシリアル番号データが読み出される（ステップＳ９）。そして、ＡＰＳフィルムＦから読み出したシリアル番号データとＨＤＤ１５に記録されているシリアル番号データとが一致するか否かがＣＰＵ１４ａによって判断される（ステップＳ１１）。
【００３９】
ＡＰＳフィルムＦから読み出したシリアル番号データとＨＤＤ１５に記録されているシリアル番号データとが一致しない場合（ステップＳ１１がＮＯ）、ステップＳ７に移り、ステップＳ１に戻る。一方、ＡＰＳフィルムＦから読み出したシリアル番号データとＨＤＤ１５に記録されているシリアル番号データとが一致する場合（ステップＳ１１がＹＥＳ）、確認処理が終了する。
【００４０】
このように、ＡＰＳフィルムＦの製造番号データと写真処理装置１０に記録された製造番号データとを照合することによって、当該ＡＰＳフィルムＦが操作レベル設定用のＡＰＳフィルムＦであるか否かを確認できる。また、ＡＰＳフィルムＦに書き込まれたシリアル番号データと写真処理装置１０のシリアル番号データとを照合することによって、当該ＡＰＳフィルムＦが当該写真処理装置１０の操作レベルを設定するためのＡＰＳフィルムＦであるか否かを確認できる。
【００４１】
このような確認処理の後、操作レベルの設定処理が行われる。ついで、図４を参照して、操作レベルの設定処理について説明する。
まず、登録が確認されたＡＰＳフィルムＦにおいて磁気記録部Ｔ１ａ〜Ｔ４０ａの各記録領域Ｃ（図２参照）から磁気ヘッド２６によって磁気データが読み出され（ステップＳ２１）、ＨＤＤ１５から読み出されたテーブルデータと共にＲＡＭ１４ｃに保持される。
【００４２】
そして、ＣＰＵ１４ａによって、磁気記録部Ｔ１ａ〜Ｔ４０ａの各記録領域Ｃから読み出された磁気データがそれぞれ写真処理装置１０の各機能に関連付けられ、写真処理装置１０の各機能のＯＮ／ＯＦＦが設定される（ステップＳ２３）。つまり、写真処理装置１０の機能のうち使用可能にすべき機能が使用可能に設定され、写真処理装置１０がユーザの権限に合わせた操作レベルに自動的に設定される。操作レベルの設定完了後、設定処理が終了する。
【００４３】
ついで、図５を参照して、写真処理装置１０へのＡＰＳフィルムＦの登録処理について説明する。ここでは、図３に示す確認処理の後に現在の操作レベルの認証を行い、現在の操作レベルが全機能の使用を許可されている高レベル（管理者レベル）である場合に登録処理を実行できるものとする。
【００４４】
まず、写真処理装置１０に登録すべきＡＰＳフィルムＦがネガキャリア２４に装填され搬送が開始される（ステップＳ３１）。つづいて、磁気ヘッド２６によってＡＰＳフィルムＦの最も下流側の磁気記録部Ｔａ（図２参照）から製造番号データが読み出され（ステップＳ３３）、ＨＤＤ１５に記録される（ステップＳ３５）。
【００４５】
つづいて、ＨＤＤ１５に記録されるシリアル番号データが磁気ヘッド２６によってＡＰＳフィルムＦの最も下流側の磁気記録部Ｔａに書き込まれ（ステップＳ３７）、シリアル番号データの書き込みが完了すると登録処理が終了する。
【００４６】
ついで、図６を参照して、ＡＰＳフィルムＦへの機能特定データの書き込み処理について説明する。ここでは、上述の登録処理と同様に、図３に示す確認処理の後に現在の操作レベルの認証を行い、現在の操作レベルが全機能の使用を許可されている高レベルである場合に書き込み処理を実行できるものとする。
【００４７】
まず、機能特定データを書き込むべきＡＰＳフィルムＦがネガキャリア２４に装填され、図３に示す確認処理が実行される（ステップＳ４１）。そして、製造番号データの照合結果とシリアル番号の照合結果とがそれぞれ一致していれば（ステップＳ４３がＹＥＳ）、入力部３４を介して与えられるユーザの指示に従って機能特定データが作成される（ステップＳ４５）。
【００４８】
ステップＳ４５では、たとえば、写真処理装置１０の機能毎にチェックボックスが設けられる機能特定データ作成画面（図示せず）が表示部３６に表示される。そして、入力部３４からの指示に従って機能特定データ作成画面のチェックボックスにチェックマークが入れられ、チェックマークを入れられたチェックボックスに対応する機能がＯＮとなるようにＣＰＵ１４ａが磁気データを作成する。
【００４９】
その後、記録領域Ｃ毎に機能のＯＮ／ＯＦＦを設定するための磁気データが書き込まれ（ステップＳ４７）、全ての磁気データの書き込みが完了すると、つまり機能特定データの書き込みが完了すると書き込み処理が終了する。
【００５０】
なお、登録処理と書き込み処理とを連続して行ってもよい。この場合、書き込み処理においてステップＳ４１，Ｓ４３を省略するようにしてもよい。
【００５１】
このような写真処理装置１０では、ＡＰＳフィルムＦの磁気記録部Ｔ１ａ〜Ｔ４０ａに書き込まれた機能特定データを磁気ヘッド２６が読み出すことによって、機能特定データ読み出すためだけに読み出し手段を新たに設ける必要がない。また、機能特定データを書き込むための記録媒体を新たに準備する必要もない。したがって、ユーザの権限に合わせた操作レベルの設定を低コストに実現できる。
【００５２】
また、写真処理装置１０で機能特定データを作成し、作成した機能特定データを磁気ヘッド２６によってＡＰＳフィルムＦの磁気記録部Ｔ１ａ〜Ｔ４０ａに書き込むことができるので、機能特定データの作成および書き込みを別の装置で行う必要がない。したがって、機能特定データが書き込まれたＡＰＳフィルムＦを簡単にかつ低コストに準備できる。
【００５３】
さらに、写真処理装置１０のシリアル番号データが書き込まれたＡＰＳフィルムＦ、つまり写真処理装置１０に関連付けられたＡＰＳフィルムＦでなければ機能特定データを読み出すことができない。したがって、当該写真処理装置１０用の機能特定データが他の写真処理装置１０に用いられることを防止できる。
【００５４】
なお、上述の実施形態では、画像形成領域Ｇが４０個形成され、磁気記録部Ｔａ，Ｔｂがそれぞれ４１個ずつ形成されるＡＰＳフィルムＦを用いる場合について説明したが、機能特定データを書き込むことができればＡＰＳフィルムの磁気記録部の数は特に限定されない。
【００５５】
また、上述の実施形態では、写真処理装置１０においてＡＰＳフィルムＦに機能特定データを書き込む場合について説明したが、磁気データを書き込み可能な別の装置でＡＰＳフィルムＦに機能特定データを書き込むようにしてもよい。
【図面の簡単な説明】
【００５６】
【図１】この発明の一実施形態の写真処理装置を示すブロック図である。
【図２】この発明の写真処理装置に用いられるＡＰＳフィルムＦの一例を示す図解図である。
【図３】ＡＰＳフィルムＦの確認処理を示すフロー図である。
【図４】操作レベルの設定処理を示すフロー図である。
【図５】ＡＰＳフィルムＦの登録処理を示すフロー図である。
【図６】機能特定データの書き込み処理を示すフロー図である。
【符号の説明】
【００５７】
１０      写真処理装置
１２      スキャナ部
１４      コントローラ
１４ａ      ＣＰＵ
１５      ＨＤＤ
２６      磁気ヘッド
３４      入力部
Ｆ      ＡＰＳフィルム
Ｔａ，Ｔｂ      磁気記録部
【図１】
2006343568.tif 000003
【図２】
2006343568.tif 000004
【図３】
2006343568.tif 000005
【図４】
2006343568.tif 000006
【図５】
2006343568.tif 000007
【図６】
2006343568.tif 000008